(57)【要約】【課題】デジタル家電では、リモートコントロール装置は、オンスクリーンディスプレイモジュールを介して電子機器を制御する際に、カーソルの位置決めにおける操作が不便であるという課題がある。【解決手段】本発明に係るリモートコントロール装置は、指示を入力するためのガイド装置と、本体モジュールと、を含み、該本体モジュールは、前記ガイド装置からの指示を検査するための第一検査モジュールと、該第一検査モジュールで検査した前記指示を分解して処理し、該処理した指示を位置信号及び制御信号に変換する位置分解モジュールと、該位置信号及び制御信号を処理してカーソルの座標信号及びリモートコントロール信号に変換する信号処理モジュールと、該カーソルの座標信号及びリモートコントロール信号を送信するための無線通信モジュールと、を含む。また、本発明はリモートコントロール装置を利用する前記デジタル放送受信システムを提供する。【選択図】図２
2007073047.tif 000002
【特許請求の範囲】
【請求項１】
リモートコントロール装置において、
指示を入力するためのガイド装置と、
本体モジュールと、を含み、
該本体モジュールは、
前記ガイド装置からの指示を検査するための第一検査モジュールと、
該第一検査モジュールで検査した前記指示を分解して処理し、該処理した指示を位置信号及び制御信号に変換する位置分解モジュールと、
該位置信号及び制御信号を処理してカーソルの座標信号及びリモートコントロール信号に変換する信号処理モジュールと、
該カーソルの座標信号及びリモートコントロール信号を送信するための無線通信モジュールと、
を含むことを特徴とするリモートコントロール装置。
【請求項２】
前記リモートコントロール装置は前記本体モジュールと電気接続され、指示を該本体モジュールに入力するためのキーボードを更に有することを特徴とする、請求項１に記載のリモートコントロール装置。
【請求項３】
前記本体モジュールは、
前記キーボードからの指示を検査するための第二検査モジュールと、
該検査した指示を命令信号に変換し、該命令信号を前記信号処理モジュールに送信する命令分解モジュールと、
を更に有することを特徴とする、請求項２に記載のリモートコントロール装置。
【請求項４】
前記本体モジュールは制御コードをダウンロードするためのダウンロードモジュールを更に有することを特徴とする、請求項１に記載のリモートコントロール装置。
【請求項５】
リモートコントロール装置からの入力信号を表示する表示モジュールを更に、有することを特徴とする、請求項１に記載のリモートコントロール装置。
【請求項６】
少なくとも一つの電子機器を制御するためのデジタル放送受信システムであって、
請求項１〜５のいずれか一項に記載のリモートコントロール装置と、
ゲートウェイ装置と、を含み、
該ゲートウェイ装置は、
オンスクリーンディスプレイ機能の選択表を形成するためのオンスクリーンディスプレイモジュールと、
前記電子機器と電気接続するための信号放送受信モジュールと、
を含むことを特徴とするデジタル放送受信システム。
【請求項７】
前記ゲートウェイ装置、又は前記電子機器と電気接続され、前記デジタル放送受信システムに表示されている前記電子機器の列表、前記オンスクリーンディスプレイ機能の選択表、及び前記カーソルが該オンスクリーンディスプレイ機能の選択表で選択する結果を表示ための表示装置を更に有することを特徴とする請求項６に記載のデジタル放送受信システム。
【発明の詳細な説明】
【技術分野】
【０００１】
本発明は、コントロール装置及びこのコントロール装置を利用するコントロールシステムに関し、特にリモートコントロール装置及びこのリモートコントロール装置を利用するデジタル放送受信システム  に関する。
【背景技術】
【０００２】
現在、オンスクリーンディスプレイ（Ｏｎ  Ｓｃｒｅｅｎ  Ｄｉｓｐｌａｙ，ＯＳＤ）技術は、例えばテレビ、コンピュータ及び携帯電話などの画像処理システムに広く使用されている。オンスクリーンディスプレイ装置は、スクリーンで指示を入力して生じる情報を表示するために用いられる。例えば、テレビの画面を調整する時に、機能選択キー（ｍｅｎｕ）を押すと、スクリーンで一つの該テレビの画面の調整情報を表示するオンスクリーンディスプレイを表示する。
【発明の開示】
【発明が解決しようとする課題】
【０００３】
しかし、前記デジタル家電では、リモートコントロール装置は、オンスクリーンディスプレイモジュールを介して電子機器を制御する際に、カーソルの位置決めにおける操作が不便であるという課題がある。
【課題を解決するための手段】
【０００４】
本発明に係るリモートコントロール装置は、指示を入力するためのガイド装置と、本体モジュールと、を含み、該本体モジュールは、前記ガイド装置からの指示を検査するための第一検査モジュールと、該第一検査モジュールで検査した前記指示を分解して処理し、該処理した指示を位置信号及び制御信号に変換する位置分解モジュールと、該位置信号及び制御信号を処理してカーソルの座標信号及びリモートコントロール信号に変換する信号処理モジュールと、該カーソルの座標信号及びリモートコントロール信号を送信するための無線通信モジュールと、を含む。
【０００５】
本発明のデジタル放送受信システムは少なくとも一つの電子機器を制御するために用いられ、リモートコントロール装置と、ゲートウェイ装置と、を含む。該リモートコントロール装置は、指示を入力するためのガイド装置と、本体モジュールと、を含み、該本体モジュールは、前記ガイド装置からの指示を検査するための第一検査モジュールと、該第一検査モジュールで検査した前記指示を分解して処理し、該処理した指示を位置信号及び制御信号に変換する位置分解モジュールと、該位置信号及び制御信号を処理してカーソルの座標信号及びリモートコントロール信号に変換する信号処理モジュールと、該カーソルの座標信号及びリモートコントロール信号を送信するための無線通信モジュールと、を含む。前記ゲートウェイ装置は、オンスクリーンディスプレイ機能の選択表を形成するためのオンスクリーンディスプレイモジュールと、前記電子機器と電気接続するための信号放送受信モジュールと、を含む。
【発明の効果】
【０００６】
従来技術と比べて、本発明に係るデジタル放送受信システムにおいて、リモートコントロール装置はガイド装置を介して、オンスクリーンディスプレイ機能の選択表でカーソルを移動させて機能の選択を行うことによって、カーソルの位置決めということが簡単になる。
【発明を実施するための最良の形態】
【０００７】
以下、図面を参照して、本発明に係るデジタル放送受信システムについて詳しく説明する。
【０００８】
図１は本発明の実施形態に係るデジタル放送受信システムの構成概略図である。本実施形態において、デジタル放送受信システムは、リモートコントロール装置１０００と、ゲートウェイ装置２０００と、テレビ３０００と、光ディスク記憶機４０００と、を含む。前記リモートコントロール装置１０００は、ゲートウェイ装置２０００、テレビ３０００、及び光ディスク記憶機４０００を直接的に制御でき、或いはゲートウェイ装置２０００を介して、テレビ３０００、及び光ディスク記憶機４０００を制御できる。他の実施形態において、前記デジタル放送受信システムは、ビデオカメラ、セットトップボックス、及びランプ等の電子機器を更に含み、リモートコントロール装置１０００はこれら電子機器を直接的に制御でき、或いはゲートウェイ装置２０００を介して、電子機器を制御できる。
【０００９】
本実施形態において、ゲートウェイ装置２０００と、テレビ３０００とが電気接続されている。リモートコントロール装置１０００がゲートウェイ装置２０００を介してテレビ３０００を制御すると同時に、リモートコントロール装置１０００がゲートウェイ装置２０００を介して光ディスク記憶機４０００を間接的に制御することにより、ゲートウェイ装置２０００から放送する信号はテレビ３０００に送信して表示される。他の実施形態において、ゲートウェイ装置２０００と、テレビ３０００とは電気接続されてもよく、テレビ３０００は例えば液晶ディスプレーなどの表示装置を採用してもよい。
【００１０】
図１を参照して、ゲートウェイ装置２０００はオンスクリーンディスプレイモジュール２１００と、信号放送受信モジュール２２００と、リモートコントロールコードベース２３００と、を含む。オー・エス・ディーモジュール２１００は、テレビ３０００に表示されるオンスクリーンディスプレイ機能の選択表が形成される。本実施形態において、リモートコントロール装置１０００はオンスクリーンディスプレイ機能の選択表を介して光ディスク記憶機４０００を制御する。信号放送受信モジュール２２００はそれぞれリモートコントロール装置１０００と、光ディスク記憶機４０００との間で通信するために用いられる。リモートコントロールコードベース２３００は光ディスク記憶機４０００へ制御コードを提供するために用いられる。
【００１１】
図２は本発明のリモートコントロール装置の構成概略図である。本実施形態においては、リモートコントロール装置１０００は本体モジュール１１００と、ガイド装置１２００と、キーボード１３００と、を含む。
【００１２】
ガイド装置１２００は指示を入力することに用いられる。本実施形態において、ガイド装置１２００は機械式マウスを採用し、カーソルをオンスクリーンディスプレイ機能の選択表に位置決めて選択する。他の実施形態において、ガイド装置１２００は、光学式マウス、トラックボール、ゲームパッド、又は接触制御装置が採用される。カーソルが一定の範囲の外にあれば、ガイド装置１２００は、カーソルを該範囲内に移動させるように、カーソルを該範囲内に位置決める。本実施形態において、該一定の範囲は背景画面の中央に位置される。他の実施形態において、該一定の範囲は背景画面の角、又は背景画面の側辺に位置される。キーボード１３００は本体モジュール１１００と電気接続され、指示信号を該本体モジュール１１００に入力することができる。また、キーボード１３００は入力したテキストデータを確認するために用いられる。
【００１３】
本体モジュール１１００は、第一検査モジュール１１０１と、位置分解モジュール１１０２と、第二検査モジュール１１０３と、命令分解モジュール１１０４と、ダウンロードモジュール１１０５と、信号処理モジュール１１０６と、無線通信モジュール１１０７と、表示モジュール１１０８と、を含む。
【００１４】
ダウンロードモジュール１１０５は、信号処理モジュール１１０６を介して、無線通信モジュール１１０７が電子機器の制御コードをダウンロードすることを制御するために用いられる。各電子機器はそれぞれ制御コードがある。本実施形態において、該制御コードはゲートウェイ装置２０００のリモートコントロールコードベース２３００に収容されている赤外線標準（ＩｒＤＡ）の制御コードを含み、これによって、リモートコントロール装置１０００は、無線通信モジュール１１０７を介して、該制御コードをダウンロードするように、ゲートウェイ装置２０００と通信することができる。
【００１５】
他の実施形態において、前記制御コードは、デジタルリビングネットワークアライアンス（ＤＬＮＡ）又はユニバーサルプラグアンドプレイ（ＵＰｎＰ）が使用される電子機器中に収容され、マークアップ（Ｍａｒｋ−ｕｐ）のフォームであるコードを含み、これによって、リモートコントロール装置１０００は、ユニバーサルプラグアンドプレイ及びネットワークの接続を介して、無線通信モジュール１１０７で存在又は増加している電子機器を検査し、且つ無線通信モジュール１１０７を介して該制御コードをダウンロードするように、電子機器と通信することができる。
【００１６】
第一検査モジュール１１０１は、ガイド装置１２００の入力信号を検査して、該入力信号を位置分解モジュール１１０２に送信することに用いられる。位置分解モジュール１１０２は該第一検査モジュール１１０１からの前記入力信号を受信して分解し、該分解した入力信号を位置信号及び制御信号に変換し、該位置信号及び制御信号を信号処理モジュール１１０６に送信することに用いられる。本実施形態において、前記入力信号はガイド装置１２００の移動信号及び選択信号を含む。信号処理モジュール１１０６は、前記位置信号及び制御信号を受信して、該位置信号及び制御信号をカーソルの座標信号及びリモートコントロールのコードに変換し、且つ該座標信号及びリモートコントロールのコードを無線通信モジュール１１０７に送信することができる。本実施形態において、前記リモートコントロールのコードはダウンロードモジュール１１０５がダウンロードした制御コードと対応するコードである。無線通信モジュール１１０７は、カーソルの座標信号及びリモートコントロールのコードを送信するために用いられる。本実施形態において、無線通信モジュール１１０７は赤外線インタフェースを備える。
【００１７】
他の実施形態において、無線通信モジュール１１０７は米国電気電子学会（ＩＥＥＥ）８０２.１１（Ｗｉ−Ｆｉ）インタフェース、ＩＥＥＥ８０２.１５.４（Ｚｉｇｂｅｅ）インタフェース、ＩＥＥＥ８０２.１５.３（Ｗｉｍｅｄｉａ）インタフェース、ブルートゥース（ｂｌｕｅｔｏｏｔｈ）（登録商標）インタフェース、又はＺ−ｗａｖｅインタフェースを備える。
【００１８】
第二検査モジュール１１０３は、キーボード１３００の入力信号を検査して、該入力信号を命令分解モジュール１１０４に送信することに用いられる。命令分解モジュール１１０４は該第二検査モジュール１１０３からの前記入力信号を受信して分解し、該分解した入力信号を命令信号に変換し、該命令信号を信号処理モジュール１１０６に送信することに用いられる。信号処理モジュール１１０６は、前記命令信号を受信して、該命令信号をリモートコントロールのコードに変換し、且つ該リモートコントロールのコードを無線通信モジュール１１０７に送信することができる。本実施形態において、前記リモートコントロールのコードはダウンロードモジュール１１０５がダウンロードした制御コードと対応するコードである。無線通信モジュール１１０７は、該リモートコントロールのコードを送信するために用いられる。
【００１９】
信号処理モジュール１１０６は、受信した前記位置信号、制御信号、及び命令信号を、表示モジュール１１０８の表示に適する表示信号に変換して表示モジュール１１０８に送信するために用いられる。該表示信号は、カーソルの移動信号、選択信号及びキーボード１３００からの入力信号と対応することである。表示モジュール１１０８は、ゲートウェイ装置２０００のオンスクリーンディスプレイ機能の選択表と、信号処理モジュール１１０６からの、前記表示信号と対応するカーソルの移動信号、選択信号及び入力信号と、を表示することができる。また、表示モジュール１１０８は該デジタル放送受信システムの電子機器の列表を表示することができる。本実施形態において、該電子機器の列表は表示モジュール１１０８に収容されている。
【００２０】
他の実施形態において、リモートコントロール装置１０００は無線通信モジュール１１０７を介してゲートウェイ装置２０００と通信し、次にゲートウェイ装置２０００を介して該デジタル放送受信システムの電子機器を検査し、該検査結果をリモートコントロール装置１０００に送信し、リモートコントロール装置１０００は無線通信モジュール１１０７を介してゲートウェイ装置２０００に関する検査結果を受信し、該検査結果を信号処理モジュール１１０６を通して表示モジュール１１０８に送信する。
【００２１】
図３は本発明の実施形態に係るデジタル放送受信システムの制御フロー図である。本実施形態において、リモートコントロール装置１０００はゲートウェイ装置２０００を介して電子機器である光ディスク記憶機４０００を間接的に制御することができる。
【００２２】
ステップＳ３００では、本実施形態において、リモートコントロール装置１０００の表示モジュール１１０８はデジタル放送受信システムの電子機器の列表を表示し、且つ制御する光ディスク記憶機４０００が該電子機器の列表に含んでいるかどうかということを検査する。他の実施形態において、リモートコントロール装置１０００は無線通信モジュール１１０７を介してゲートウェイ装置２０００と通信し、ゲートウェイ装置２０００を通して、テレビ３０００にデジタル放送受信システムの電子機器の列表を表示すること、を制御する。該電子機器の列表に光ディスク記憶機４０００があれば、リモートコントロール装置１０００と光ディスク記憶機４０００とが同時に使用されることが分かる際に、その制御コードをダウンロードする必要はなく、ステップＳ３０４に進むが、該電子機器の列表に光ディスク記憶機４０００はなければ、リモートコントロール装置１０００と光ディスク記憶機４０００とが同時に使用されていないことが分かる際に、その制御コードをダウンロードする必要があり、ステップＳ３０２に進む。
【００２３】
ステップＳ３０２では、ダウンロードモジュール１１０５は信号処理モジュール１１０６を介して、無線通信モジュール１１０７が光ディスク記憶機４０００と対応する制御コードをダウンロードすること、を制御することができる。本実施形態において、該制御コードは、ゲートウェイ装置２０００のリモートコントロールコードベース２３００に収容されている赤外線標準（ＩｒＤＡ）の制御コードであり、これによって、リモートコントロール装置１０００は、無線通信モジュール１１０７を介して、該制御コードをダウンロードするように、ゲートウェイ装置２０００と通信接続することができる。他の実施形態において、前記制御コードは、デジタルリビングネットワークアライアンス（ＤＬＮＡ）又はユニバーサルプラグアンドプレイ（ＵＰｎＰ）が使用される電子機器中に収容され、マークアップ（Ｍａｒｋ−ｕｐ）のフォームをベースとするコードであり、これによって、リモートコントロール装置１０００は、ユニバーサルプラグアンドプレイ及びネットワークの接続を介して、無線通信モジュール１１０７で光ディスク記憶機４０００が存在するかどうかということを検査し、且つ無線通信モジュール１１０７を介して該制御コードをダウンロードするように、光ディスク記憶機４０００と通信することができる。
【００２４】
ステップＳ３０４では、ユーザは、ゲートウェイ装置２０００のオンスクリーンディスプレイ機能の選択表を通して光ディスク記憶機４０００を選択するかどうかということを判断する。ゲートウェイ装置２０００のオンスクリーンディスプレイ機能の選択表を通して光ディスク記憶機４０００を選択すれば、ステップＳ３０８に進むが、ゲートウェイ装置２０００のオンスクリーンディスプレイ機能の選択表を通して光ディスク記憶機４０００を選択しなけれれば、ステップＳ３０６に進む。
【００２５】
ステップＳ３０６では、リモートコントロール装置１０００は、キーボード１３００を介して指示を入力して光ディスク記憶機４０００を制御し、その具体的なフローは図４を参照する。
【００２６】
ステップＳ３０８では、リモートコントロール装置１０００は、無線通信モジュール１１０７を介してゲートウェイ装置２０００と通信し、ゲートウェイ装置２０００のオンスクリーンディスプレイモジュール２１００にはオンスクリーンディスプレイ機能の選択表を生じるように制御する。本実施形態において、該オンスクリーンディスプレイ機能の選択表はテレビ３０００に表示される。他の実施形態において、該オンスクリーンディスプレイ機能の選択表は、リモートコントロール装置１０００の表示モジュール１１０８に表示されてもよい。ゲートウェイ装置２０００は信号放送受信モジュール２２００を介して、制御する光ディスク記憶機４０００の信号を捜索して該信号を前記オンスクリーンディスプレイ機能の選択表に表示させる。本実施形態において、該信号は放送、停止、前進、後退及び閉じるなどの選択項がある。
【００２７】
ステップＳ３１０では、リモートコントロール装置１０００は、前記オンスクリーンディスプレイ機能の選択表を利用して光ディスク記憶機４０００を制御する。本実施形態において、リモートコントロール装置１０００のガイド装置１２００は機械式マウスを採用する。これによって、リモートコントロール装置１０００は、ガイド装置１２００がひざでの転がることを介してカーソルの位置決めを行い、前記オンスクリーンディスプレイ機能の選択表のある一つを選択することができる。リモートコントロール装置１０００は、ガイド装置１２００を介してカーソルを前記オンスクリーンディスプレイ機能の選択表の一定の選択項に移動させて確認することによって、光ディスク記憶機４０００の制御を実現する。リモートコントロール装置１０００は、ガイド装置１２００、キーボード１３００、及びゲートウェイ装置２０００のオンスクリーンディスプレイ機能の選択表を介して、光ディスク記憶機４０００を間接的に制御する具体的なフローは図４、及び図５を参照する。
【００２８】
図４は本発明のリモートコントロール装置１０００をキーボード１３００を利用して制御するフロー図である。ステップＳ４００では、第二検査モジュール１１０３はキーボード１３００からの入力信号を検査し、該入力信号を命令分解モジュール１１０４に送信する。ステップＳ４０２では、命令分解モジュール１１０４は、第二検査モジュール１１０３が検査した入力信号を受信して分解し、該入力信号を命令信号に変換し、該命令信号を信号処理モジュール１１０６に送信する。ステップＳ４０４では、信号処理モジュール１１０６は、受信した該命令信号をリモートコントロールのコードに変換し、且つ該リモートコントロールのコードを無線通信モジュール１１０７に送信する。本実施形態において、前記リモートコントロールのコードはダウンロードモジュール１１０５がダウンロードした制御コードと対応するコードである。ステップＳ４０６では、無線通信モジュール１１０７は、該リモートコントロールのコードをゲートウェイ装置２０００の信号放送受信モジュール２２００に送信する。ステップＳ４０８では、ゲートウェイ装置２０００は信号放送受信モジュール２２００を介してリモートコントロールのコードを光ディスク記憶機４０００に送信し、これによって、光ディスク記憶機４０００を制御する。本実施形態において、無線通信モジュール１１０７及び信号放送受信モジュール２２００はそれぞれ赤外線インタフェースを備える。他の実施形態において、無線通信モジュール１１０７及び信号放送受信モジュール２２００は米国電気電子学会（ＩＥＥＥ）８０２.１１（Ｗｉ−Ｆｉ）インタフェース、ＩＥＥＥ８０２.１５.４（Ｚｉｇｂｅｅ）インタフェース、ＩＥＥＥ８０２.１５.３（Ｗｉｍｅｄｉａ）インタフェース、ブルートゥース（ｂｌｕｅｔｏｏｔｈ）（登録商標）インタフェース、又はＺ−ｗａｖｅインタフェースを備えてもよい。同時に、ゲートウェイ装置２０００は、キーボード１３００がオンスクリーンディスプレイ機能の選択表での動作をテレビ３０００に表示するように、制御する。
【００２９】
図５は本発明のリモートコントロール装置１０００をガイド装置１２００を利用して制御するフロー図である。ステップＳ５００では、第一検査モジュール１１０１は、ガイド装置１２００からの入力信号を検査して、該入力信号を位置分解モジュール１１０２に送信する。該入力信号はガイド装置１２００の移動信号及び選択信号を含む。ステップＳ５０２では、位置分解モジュール１１０２は該第一検査モジュール１１０１からの前記入力信号を受信して分解し、該分解した入力信号を位置信号及び制御信号に変換し、該位置信号及び制御信号を信号処理モジュール１１０６に送信する。ステップＳ５０４では、信号処理モジュール１１０６は、受信した前記位置信号及び制御信号をカーソルの座標信号及びリモートコントロールのコードに変換し、且つ該座標信号及びリモートコントロールのコードを無線通信モジュール１１０７に送信する。本実施形態において、該座標信号はガイド装置１２００の移動信号と対応するものである。該リモートコントロールのコードは、例えば放送選択項を選択する信号などの、ガイド装置１２００のオンスクリーンディスプレイ機能の選択表でのある選択項を選択する選択信号と対応するコードである。本実施形態において、前記リモートコントロールのコードはダウンロードモジュール１１０５がダウンロードした制御コードと対応するコードである。ステップＳ５０６では、無線通信モジュール１１０７は、カーソルの座標信号及びリモートコントロールのコードをゲートウェイ装置２０００に送信する。ステップＳ５０８では、ゲートウェイ装置２０００は信号放送受信モジュール２２００を介してリモートコントロールのコードを光ディスク記憶機４０００に送信し、これによって、光ディスク記憶機４０００を制御する。本実施形態において、光ディスク記憶機４０００の放送した内容をテレビ３０００に表示させるように、制御する。本実施形態において、無線通信モジュール１１０７及び信号放送受信モジュール２２００はそれぞれ赤外線インタフェースを備える。他の実施形態において、無線通信モジュール１１０７及び信号放送受信モジュール２２００は米国電気電子学会（ＩＥＥＥ）８０２.１１（Ｗｉ−Ｆｉ）インタフェース、ＩＥＥＥ８０２.１５.４（Ｚｉｇｂｅｅ）インタフェース、ＩＥＥＥ８０２.１５.３（Ｗｉｍｅｄｉａ）インタフェース、ブルートゥース（ｂｌｕｅｔｏｏｔｈ）（登録商標）インタフェース、又はＺ−ｗａｖｅインタフェースを備えてもよい。同時に、ゲートウェイ装置２０００は、例えばカーソルがオンスクリーンディスプレイ機能の選択表で移動して放送、停止、前進、後退及び閉じるなどを選択する動作など、ガイド１２００がオンスクリーンディスプレイ機能の選択表での動作をテレビ３０００に表示するように、制御する。
【図面の簡単な説明】
【００３０】
【図１】本発明の実施形態に係るデジタル放送受信システムの構成概略図である。
【図２】本発明の実施形態に係るリモートコントロール装置の構成概略図である。
【図３】本発明の実施形態に係るデジタル放送受信システムの制御フロー図である。
【図４】本発明のリモートコントロール装置をキーボードを利用して制御するフロー図である。
【図５】本発明のリモートコントロール装置をガイド装置を利用して制御するフロー図である。
【符号の説明】
【００３１】
１０００  リモートコントロール装置
１１００  本体モジュール
１１０１  第一検査モジュール
１１０２  位置分解モジュール
１１０３  第二検査モジュール
１１０４  命令分解モジュール
１１０５  ダウンロードモジュール
１１０６  信号処理モジュール
１１０７  無線通信モジュール
１１０８  表示モジュール
１２００  ガイド装置
１３００  キーボード
２０００  ゲートウェイ装置
２１００  オンスクリーンディスプレイモジュール
２２００  信号放送受信モジュール
２３００  リモートコントロールコードベース    
３０００  テレビ
４０００  光ディスク記憶機
【図１】
2007073047.tif 000003
【図２】
2007073047.tif 000004
【図３】
2007073047.tif 000005
【図４】
2007073047.tif 000006
【図５】
2007073047.tif 000007